(57)【要約】【課題】  力強く把持しなくとも外周壁に対する指の掛かり具合を向上させることを可能として開閉時の操作性を高めたスクリューキャップを創出することを課題とする。【解決手段】  頂壁（２）の縁部に外周壁（３）を有する有頂筒状のスクリューキャップであって、外周壁（３）には周方向に所定の間隔で陥没設された複数の陥没部（４）と、陥没部（４）の底面である陥没底部（４ａ）に突設された支持部（５）と、支持部（５）の先端に連設されると共に陥没部（４）内において揺動可能に支持された揺動壁部（６）と、有する構成とする。【選択図】  図４
2018090256.tif 000002
【特許請求の範囲】
【請求項１】
頂壁（２）の縁部に外周壁（３）を有する有頂筒状のスクリューキャップであって、
前記外周壁（３）には周方向に所定の間隔で陥没設された複数の陥没部（４）と、該陥没部（４）の底面である陥没底部（４ａ）に突設された支持部（５）と、該支持部（５）の先端に連設されると共に前記陥没部（４）内において揺動可能に支持された揺動壁部（６）と、有することを特徴とするスクリューキャップ。
【請求項２】
揺動壁部（６）の外周面（６ａ）と外周壁（３）とが同一面を形成する請求項１記載のスクリューキャップ。
【請求項３】
支持部（５）が陥没底部（４ａ）の幅方向の中央に配置されている請求項１又は２記載のスクリューキャップ。
【請求項４】
支持部（５）が陥没底部（４ａ）の幅方向の一方の端部側に配置されている請求項１又は２記載のスクリューキャップ。
【請求項５】
平面視略Ｌ字状の揺動壁部（６）と平面視略逆Ｌ字状の揺動壁部（６）とが周方向に交互に配置されている請求項４記載のスクリューキャップ。
【発明の詳細な説明】
【技術分野】
【０００１】
本発明は、外周壁に滑り止め機能を備えたスクリューキャップに関する。
【背景技術】
【０００２】
従来、開閉時におけるスクリューキャップの滑り止めとしては、例えば特許文献１に示すようにスクリューキャップの外周壁にローレット加工を施したものが一般的である。このようなローレット加工は、複数の凹凸形状をスクリューキャップの外周壁に刻設することにより形成したものである。
【先行技術文献】
【特許文献】
【０００３】
【特許文献１】特開２００４−３１５００８号公報
【発明の概要】
【発明が解決しようとする課題】
【０００４】
しかし、特許文献１に記載の構成から成るスクリューキャップにおけるローレット加工は、所定の凹凸形状が周方向に単調に繰り返し配置される構成であることから、凹凸形状の高低差を小さくし過ぎると、指との摩擦抵抗が低下することから滑り止め効果が小さくなる、このため、特に強いトルクを必要とする開封時においては、強く把持して摩擦抵抗を高めた状態でスクリューキャップを回さないと指が滑りやすくなる。
【０００５】
他方、凹凸形状の高低差を大きくし、指との摩擦抵抗を高めて滑り止め効果を大きくし過ぎると、閉封時にスクリューキャップがきつく締まりすぎてしまい、次回の開封時にスクリューキャップを開けることが困難になる。また過大な力で回すことで指を痛める虞があった。
【０００６】
本発明は、上記した従来技術における問題点を解消すべく、力強く把持しなくとも外周壁に対する指の掛かり具合を向上させることを可能として開閉時の操作性を高めたスクリューキャップを創出することを課題とする。
【課題を解決するための手段】
【０００７】
上記課題を解決するための手段のうち、本発明の主たる手段は、
頂壁の縁部に外周壁を有する有頂筒状のスクリューキャップであって、
外周壁には周方向に所定の間隔で陥没設された複数の陥没部と、陥没部の底面である陥没底部に突設された支持部と、支持部の先端に連設されると共に陥没部内において揺動可能に支持された揺動壁部と、有することを特徴とする、と云うものである。
【０００８】
本発明の主たる手段では、スクリューキャップを把持することにより、揺動壁部が傾斜し、外周壁と陥没部の端部との間に指を掛けるための段差部の形成を達成し得る。
【０００９】
また本発明の他の手段は、上記本発明の主たる手段に、揺動壁部の外周面と外周壁とが同一面を形成する、との手段を加えたものである。
【００１０】
上記手段では、スクリューキャップに纏まり感が生まれ、外観上の美感を向上し得る。
【００１１】
また本発明の他の手段は、上記いずれかの手段に、支持部が陥没底部の幅方向の中央に配置されている、との構成を加えたものである。
【００１２】
上記手段では、揺動壁部を左右均等に支持することでシーソー遊具のような揺動が可能となり、揺動壁部の両端に段差部が形成されるので、より多くの段差部を配置することを達成し得る。
【００１３】
また本発明の他の手段は、上記いずれかの手段に、支持部が陥没底部の幅方向の一方の端部側に配置されている、との構成を加えたものである。
【００１４】
上記手段では、支持部から離れる他方の端部側のみに指掛け用の段差部の形成を達成し得る。
【００１５】
また本発明の他の手段は、上記手段に、平面視略Ｌ字状の揺動壁部と平面視略逆Ｌ字状の揺動壁部とが周方向に交互に配置されている、との構成を加えたものである。
【００１６】
上記手段では、左右対称の形状からなる揺動壁部を周方向に交互に配置することにより、段差部を周方向に均一ではない間隔で配置し得る。
【発明の効果】
【００１７】
本発明では、スクリューキャップを軽く把持すると、外周壁の一部に設けられた揺動壁部が傾いて比較的大きな段差部が出現するため、この段差部を指掛け部として利用することにより、力強く把持しなくとも指の掛かり具合を向上させることが可能となり、スクリューキャップの開閉時における操作性を向上させることができる。
【図面の簡単な説明】
【００１８】
【図１】本発明の第１実施例としてのスクリューキャップを示す斜視図である。
【図２】スクリューキャップの平面図である。
【図３】スクリューキャップを容器に装着した状態における半断面図である。
【図４】スクリューキャップが装着された容器の使用状態の一例を示す斜視図である。
【図５】本発明の第２実施例としてのスクリューキャップを示す平面図である。
【発明を実施するための形態】
【００１９】
以下、本発明の実施の形態について図面を参照しつつ説明する。
図１は本発明の第１実施例としてのスクリューキャップを示す斜視図、図２はスクリューキャップの平面図、図３はスクリューキャップを容器に装着した状態における半断面図、図４はスクリューキャップが装着された容器の使用状態の一例を示す斜視図である。
【００２０】
図１乃至図４に第１実施例として示すスクリューキャップ１は、合成樹脂を射出成形することにより形成されており、円形の頂壁２の縁部に外周壁３が一体に形成された有頂円筒状の部材である。外周壁３には所定の深さ寸法及び幅寸法を有して平面視略四角凹状に形成された複数（本実施例では４ヶ）の陥没部４が、周方向に所定の間隔（本実施例では中心角９０度の間隔）で陥没設されている。陥没部４は、陥没底部４ａとその両端に設けられて外周壁３に向かって垂設された陥没壁部４ｂとを有して構成されている。
【００２１】
陥没部４内には略瓦形状から成る揺動壁部６が配置されている。揺動壁部６は、陥没底部４ａの幅方向の中央に細く縦帯状に突設された支持部５の先端に平面視にて略Ｔ字形状を成すように一体的に形成されている。この揺動壁部６は、中央の支持部５を支点としてその両端の側部６ｂがシーソー遊具のように揺動可能な状態に設定されている。また揺動壁部６の外周面６ａの外径寸法は、外周壁３の外径寸法と同寸法に設定されており、揺動壁部６の外周面６ａと外周壁３とは同一面を形成している。これにより、スクリューキャップ１に纏まり感が生まれ、外観上の美感を向上させることが可能となっている。
【００２２】
図３に示すように、頂壁２の下面には円筒状から成る内筒部７が垂下設されており、この内筒部７の内周面には、容器１０の口筒部１１に形成された外ネジ部１２に螺合するための螺条７ａが刻設されている。スクリューキャップ１は、螺条７ａと外ネジ部１２を螺合させた状態で、スクリューキャップ１を閉方向（時計回り方向）に回して締め付けることにより、容器１０の頭部の口筒部１１に装着される。
【００２３】
スクリューキャップ１を取り外すには、スクリューキャップ１を把持して開方向に（反時計回り方向）に回すことにより行う。ここで、図４に示すようにスクリューキャップ１を指等で把持しながら回すと、把持した指は揺動壁部６を押圧しながらその外周面６ａ上を回転方向の下流側に向かって滑ることになる。この際、指に押されて揺動壁部６が揺動して傾斜姿勢となり、下流側に位置する側部６ｂが陥没部４内に入り込む。これにより、側部６ｂと対峙する回転下流側に陥没壁部４ｂが出現する。同時に、回転上流側の揺動壁部６の側部６ｂが外周面３よりも外径方向に大きく突出する。そして、陥没部４内に入り込むことで出現した下流側の陥没壁部４ｂ及び外径方向に大きく突出した上流側の側部６ｂは共に大きな段差部８を形成する。すなわち、第１実地例では、揺動壁部６が揺動することにより、揺動壁部６の両端に段差部８が夫々形成されるため、より多くの段差部８を配置することができる。
【００２４】
図３に破線で示すように、例えば親指ｆ１や人指し指ｆ２は、異なる位置でそれぞれ対応する回転下流側の段差部８を形成する陥没壁部４ｂを掛止し、また中指ｆ３などは上流側の段差部８を形成する側部６ｂを掛止し、さらにその他の薬指及び小指も、回転下流側の陥没壁部４ｂと回転上流側の側部６ｂのいずれかによって構成される段差部８を夫々掛止することが可能となる。このように、陥没壁部４ｂ又は側部６ｂによって構成される段差部８を指掛け部として利用することにより、スクリューキャップ１を力強く把持しなくとも外周壁３に対する指の掛かり具合を大きく向上させることができる。これにより、スクリューキャップ１を軽く把持した状態で図３中に矢印で示す開方向（反時計回り方向）に回すことにより容易に開封することができる。
なお、少なくとも一つの揺動壁部６が変形すれば指掛か部として機能するので、全ての揺動壁部６が変形しなくてもスクリューキャップの開閉を容易にすることが可能である。
【００２５】
同様に、スクリューキャップ１を取り付けるときには、スクリューキャップ１を軽く把持した状態で、スクリューキャップ１の螺条７ａと容器１０側の外ネジ部１２を螺合させ、続いてスクリューキャップ１を閉方向（時計回り方向）に回して締め付けることにより、容器１０の頭部に簡単に装着することができる。
【００２６】
ところで、揺動壁部６の形状は上記以外の形状とすることが可能である。図５は本発明の第２実施例としてのスクリューキャップを示す平面図である。
第２実施例に示すスクリューキャップ１が、上記第１実施例と異なる点は、揺動壁部６の構成にあり、その他の構成及び効果は上記第１実施例同様である。このため、以下においては主として異なる点を中心に説明する。
【００２７】
第２実施例に示すスクリューキャップ１では、揺動壁部６を揺動可能に支持する支持部５が陥没底部４ａの幅方向の一方の端部側の位置に縦帯状に突設されている。そして、この支持部５の先端に略瓦形状から成る揺動壁部６が平面視略Ｌ字状又は平面視略逆Ｌ字状を成すように配置されている。
これら揺動壁部６の配置は、例えば、隣接する陥没部４間において、一方の支持部５の形成位置を周方向の一方の端部とし、他方の支持部５の形成位置を周方向の他方の端部となるように周方向に交互にずらすことにより、平面視略Ｌ字状の揺動壁部６と平面視略逆Ｌ字状の揺動壁部６とが周方向に交互に配置されるように構成しても良い。
【００２８】
第２実施例においては、周方向の一方の端部（例えば左端）側に支持部５を有する揺動壁部６では、この支持部５を支点とし、支持部５から離れた他方の端部（例えば右端）側の側部６ｂが大きく揺動することが可能となっている。同様に周方向の他方の端部（例えば右端）側に支持部５を有する揺動壁部６では、この支持部５を支点とし、支持部５から離れた一方の端部（例えば左端）側の側部６ｂが大きく揺動することが可能となっている。そして、スクリューキャップ１を軽く把持すると、指に押された側部６ｂが傾斜姿勢となって陥没部４内に入り込むと同時に、この側部６ｂと対峙する陥没壁部４ｂが出現して、外周壁３との間に大きな段差部８を形成する。すなわち第２実施例では、揺動壁部６が揺動することにより、揺動壁部６の両端のうちいずれか一端のみに段差部８が形成される。よって、第２実施例においてもこのような段差部８を指掛け部として利用することにより、指の掛かり具合を大きく向上させることが可能となり、第１実施例同様の効果を奏するものとなる。
【００２９】
以上、実施例に沿って本発明の構成とその作用効果について説明したが、本発明の実施の形態は上記実施例に限定されるものではない。
【００３０】
例えば、上記においては外周壁３に揺動壁部６を中心角９０度の間隔で４ヶ配置した実施例を示して説明したが、揺動壁部６の数や配置する間隔は上記構成に限定されるものではない。例えば中心角１８０度毎の間隔で２ヶ配置しても良いし、中心角１２０度の間隔で３ヶ配置する構成、あるいは中心角７２度毎に５ヶ配置する構成、さらには中心角６０度毎に６ヶ配置する構成など、均一な間隔で配置されるのであれば数量や中心角はその他の構成であっても良い。さらには、揺動壁部６を外周壁３に不均一な間隔で配置する構成であっても良い。
【００３１】
また第２実施例では、平面視略Ｌ字状の揺動壁部６と平面視略逆Ｌ字状の揺動壁部６とが周方向に交互に配置されるという構成を示して説明したが、これに限定されるものではなく、例えば中心Ｏ（図５参照）を挟んで軸対称となる両位置に平面視略Ｌ字状の揺動壁部６が夫々配置され、これらの位置に直交すると共に中心Ｏを挟んで軸対称となる両位置に平面視略逆Ｌ字状の揺動壁部６が夫々配置されるという構成であっても良い。勿論、平面視略Ｌ字状の揺動壁部６のみ又は平面視略逆Ｌ字状の揺動壁部６のみ、あるいは平面視略Ｔ字状の揺動壁部６と平面視略Ｌ字状又は平面視略逆Ｌ字状の揺動壁部６とが混在する形で周方向に配置される構成とすることも可能である。
【００３２】
また上記各実施例においては、略瓦形状からなる揺動壁部６を外周壁３内に平面視略Ｔ字状、平面視略Ｌ字状又は平面視略逆Ｌ字状に配置される構成を示して説明したが、揺動壁部６は略瓦形状に限定されるものではなく、またその配置も上記に限られるものでもない。
【００３３】
さらに上記各実施例では、有頂円筒状からなるスクリューキャップ１を示して説明したが、本発明の実施例に限定されるものではなく、その他例えば有頂四角筒状、あるいはその他の有頂多角筒状であっても良い。
【産業上の利用可能性】
【００３４】
本発明は、外周壁に滑り止め機能を備えるスクリューキャップの分野における用途展開をさらに広い領域で図ることができる。
【符号の説明】
【００３５】
１    ：  スクリューキャップ
２    ：  頂壁
３    ：  外周壁
４    ：  陥没部
４ａ  ：  陥没底部
４ｂ  ：  陥没壁部
５    ：  支持部
６    ：  揺動壁部
６ａ  ：  外周面
６ｂ  ：  側部
７    ：  内筒部
７ａ  ：  螺条
８    ：  段差部
１０  ：  容器
１１  ：  口筒部
１２  ：  外ネジ部
【図１】
2018090256.tif 000003
【図２】
2018090256.tif 000004
【図３】
2018090256.tif 000005
【図４】
2018090256.tif 000006
【図５】
2018090256.tif 000007